(57)【要約】【課題】受電装置のユーザおよび／または送電装置の設置者に、新たな付加価値を提供し、および／または、利便性を提供する。【解決手段】送電装置２００は、ワイヤレス受電装置３００に電力信号Ｓ１を供給する。送信アンテナ２０１は、電力信号Ｓ１を送信するとともに、ワイヤレス受電装置３００からのデータＳ２を受信可能に構成される。データＳ２は、ワイヤレス送電装置２００を制御するために使用される制御データＳ２ａに加えて、ワイヤレス受電装置３００のユーザ２に固有の情報を示すパーソナルデータＳ２ｂを含んでいる。ドライバ２０４は、送信アンテナ２０１を駆動する。コントローラ２０６は、送信アンテナ２０１において受信した制御データＳ２ａにもとづきドライバ２０４を制御するとともに、パーソナルデータＳ２ｂを取得する。【選択図】図２
2015231252.tif 000002
【特許請求の範囲】
【請求項１】
ワイヤレス受電装置に電力信号を供給するワイヤレス送電装置であって、
前記電力信号を送信するとともに、前記ワイヤレス受電装置からのデータを受信可能に構成された送信アンテナであって、前記データは、前記ワイヤレス送電装置を制御するために使用される制御データに加えて、前記ワイヤレス受電装置のユーザに固有の情報を示すパーソナルデータを含んでいる、送信アンテナと、
前記送信アンテナを駆動するドライバと、
前記送信アンテナにおいて受信した前記制御データにもとづき、前記ドライバを制御するとともに、前記パーソナルデータを取得するコントローラと、
を備えることを特徴とするワイヤレス送電装置。
【請求項２】
前記ワイヤレス送電装置は、
表示デバイスと、
前記表示デバイスに前記パーソナルデータに応じた情報を表示する表示制御部と、
をさらに備えることを特徴とする請求項１に記載のワイヤレス送電装置。
【請求項３】
前記ワイヤレス送電装置は、ネットワークアダプタをさらに備え、
前記表示制御部は、ネットワークを介して前記パーソナルデータに応じた情報を取得可能に構成されることを特徴とする請求項２に記載のワイヤレス送電装置。
【請求項４】
前記ワイヤレス送電装置は、
ネットワークアダプタと、
前記パーソナルデータに含まれる情報を、ネットワーク越しに接続されるサーバーにアップロードするデータ送信部と、
をさらに備えることを特徴とする請求項１から３のいずれかに記載のワイヤレス送電装置。
【請求項５】
前記ワイヤレス送電装置は、前記コントローラが取得した前記パーソナルデータに含まれる情報を格納する記憶装置をさらに備えることを特徴とする請求項１から４のいずれかに記載のワイヤレス送電装置。
【請求項６】
前記ユーザに固有の情報は、前記ワイヤレス受電装置のユーザの性別、年齢、住所、国籍、使用言語、誕生日、趣味、関心事、職業、家族構成、ユーザが入力した任意のキーワードの少なくともひとつを含むことを特徴とする請求項１から５のいずれかに記載のワイヤレス送電装置。
【請求項７】
前記ユーザに固有の情報は、前記ワイヤレス受電装置のユーザにより予め入力されていることを特徴とする請求項１から６のいずれかに記載のワイヤレス送電装置。
【請求項８】
Ｑｉ規格に準拠したことを特徴とする請求項１から７のいずれかに記載のワイヤレス送電装置。
【請求項９】
ワイヤレス送電装置から電力信号を受信するワイヤレス受電装置であって、
前記電力信号を受信するとともに、前記ワイヤレス送電装置にデータを送信可能に構成された受信アンテナと、
前記受信アンテナに流れる電流を整流する整流回路と、
前記整流回路の出力と接続され、整流電圧を発生させる平滑コンデンサと、
前記受信アンテナから送信すべきデータを生成する制御回路であって、前記データは、前記ワイヤレス送電装置を制御するために使用される制御データと、前記ワイヤレス受電装置のユーザに固有の情報を示すパーソナルデータと、を含んでいる制御回路と、
前記データに応じて、前記受信アンテナの電圧または電流を変調する変調器と、
を備えることを特徴とするワイヤレス受電装置。
【請求項１０】
前記ユーザに固有の情報は、前記ワイヤレス受電装置のユーザの性別、年齢、住所、国籍、使用言語、誕生日、趣味、関心事、職業、家族構成、ユーザが入力した任意のキーワードの少なくともひとつを含むことを特徴とする請求項９に記載のワイヤレス受電装置。
【請求項１１】
前記ユーザに固有の情報は、前記ワイヤレス受電装置のユーザにより予め入力されていることを特徴とする請求項９または１０に記載のワイヤレス受電装置。
【請求項１２】
Ｑｉ規格に準拠したことを特徴とする請求項９から１１のいずれかに記載のワイヤレス受電装置。
【請求項１３】
請求項９から１２のいずれかに記載のワイヤレス受電装置を備えることを特徴とする電子機器。
【請求項１４】
ユーザが前記ユーザに固有の情報を入力するための入力装置をさらに備えることを特徴とする請求項１３に記載の電子機器。
【請求項１５】
請求項１から８のいずれかに記載のワイヤレス送電装置と、
請求項９から１２のいずれかに記載のワイヤレス受電装置と、
を備えることを特徴とするワイヤレス給電システム。
【請求項１６】
ワイヤレス給電システムにおけるワイヤレス給電方法であって、
ワイヤレス送電装置において、電力信号を送信するとともに、ワイヤレス受電装置からのデータを受信するステップであって、前記データは、前記ワイヤレス送電装置を制御するために使用される制御データに加えて、前記ワイヤレス受電装置のユーザに固有の情報を示すパーソナルデータを含んでいる、ステップと、
前記ワイヤレス送電装置において、前記制御データにもとづき、送信電力を制御するステップと、
前記ワイヤレス送電装置において、前記パーソナルデータに応じた情報を表示デバイスに表示するステップと、
を備え、さらに、
前記ワイヤレス受電装置において前記電力信号を受信するステップと、
前記ワイヤレス受電装置において受信アンテナから送信すべきデータを生成するステップであって、前記データは、前記制御データと前記パーソナルデータと、を含んでいるステップと、
前記ワイヤレス受電装置において、前記データに応じて前記受信アンテナの電圧または電流を変調するステップと、
を備えることを特徴とする給電方法。
【発明の詳細な説明】
【技術分野】
【０００１】
本発明は、ワイヤレス給電技術に関する。
【背景技術】
【０００２】
近年、電子機器に電力を供給するために、無接点電力伝送（非接触給電、ワイヤレス給電ともいう）が普及し始めている。異なるメーカーの製品間の相互利用を促進するために、ＷＰＣ（Wireless Power Consortium）が組織され、ＷＰＣにより国際標準規格であるＱｉ（チー）規格が策定された。
【０００３】
Ｑｉ規格にもとづいたワイヤレス給電は、送信コイルと受信コイル間の電磁誘導を利用したものである。給電システムは、送信コイルを有する送電装置と、受信コイルを有する受電装置で構成される。
【０００４】
Ｑｉ規格では、送電装置と受電装置の間で通信プロトコルが定められており、受電装置から送電装置に対して、データパケットによる情報の伝達が可能となっている。このデータパケットは、後方散乱変調（Backscatter modulation）を利用して、ＡＭ（Amplitude Modulation）変調された形で、受信コイル（２次コイル）から送信コイル（１次コイル）に送信される。このデータパケットには、たとえば、受電装置に対する電力供給量を制御する電力制御データが含まれる。
【先行技術文献】
【特許文献】
【０００５】
【特許文献１】特開２０１０−２８８４４３号公報
【発明の概要】
【発明が解決しようとする課題】
【０００６】
現状の通信プロトコルでは、受電装置から送電装置へ送信されるデータパケットは、電力制御用のパケット、エラーを示すパケット、ネゴシエーション用のパケットや、受信電力を通知するためのパケットなど、認証や電力制御に関連するものに限られている。
【０００７】
本発明は係る状況においてなされたものであり、そのある態様の例示的な目的のひとつは、受電装置のユーザおよび／または送電装置の設置者に、新たな付加価値を提供し、および／または、利便性を提供可能なワイヤレス給電技術の提供にある。
【課題を解決するための手段】
【０００８】
本発明のある態様は、ワイヤレス受電装置に電力信号を供給するワイヤレス送電装置に関する。ワイヤレス送電装置は、電力信号を送信するとともに、ワイヤレス受電装置からのデータを受信可能に構成された送信アンテナであって、データは、ワイヤレス送電装置を制御するために使用される制御データに加えて、ワイヤレス受電装置のユーザに固有の情報を示すパーソナルデータを含んでいる、送信アンテナと、送信アンテナを駆動するドライバと、送信アンテナにおいて受信した制御データにもとづき、ドライバを制御するとともに、パーソナルデータを取得するコントローラと、を備える。
【０００９】
この態様によると、通信プロトコルを拡張し、ワイヤレス受電装置からワイヤレス送電装置に対して、制御データに加えて、パーソナルデータを送信可能に構成することにより、送電装置は、パーソナルデータを利用したさまざまなサービスを、ワイヤレス受電装置のユーザに提供することが可能となる。
【００１０】
ワイヤレス送電装置は、表示デバイスと、表示デバイスにパーソナルデータに応じた情報を表示する表示制御部と、をさらに備えてもよい。
これにより、充電中に時間をもてあます受電装置のユーザに対して、そのユーザに最適な情報やエンタテインメントを提供することができる。これは、ユーザが受電装置（電子機器）を操作することの抑制につながり、充電時間を短縮できるという副次的な効果をもたらしうる。
【００１１】
ワイヤレス送電装置は、ネットワークアダプタをさらに備えてもよい。表示制御部は、ネットワークを介してパーソナルデータに応じた情報を取得可能に構成されてもよい。
【００１２】
ワイヤレス送電装置は、ネットワークアダプタと、パーソナルデータに含まれる情報を、ネットワーク越しに接続されるサーバーにアップロードするデータ送信部と、をさらに備えてもよい。
これにより、ワイヤレス送電装置の設置者は、サーバーにパーソナルデータに含まれる情報を蓄積することができる。
【００１３】
ユーザに固有の情報は、ワイヤレス受電装置のユーザの性別、年齢、住所、国籍、使用言語、誕生日、趣味、関心事、職業、家族構成、ユーザが入力した任意のキーワードの少なくともひとつを含んでもよい。
【００１４】
ユーザに固有の情報は、給電に先立ってワイヤレス受電装置のユーザにより予め入力されていてもよい。
【００１５】
ワイヤレス送電装置は、Ｑｉ規格に準拠してもよい。
【００１６】
本発明の別の態様は、ワイヤレス送電装置から電力信号を受信するワイヤレス受電装置に関する。ワイヤレス受電装置は、電力信号を受信するとともに、ワイヤレス送電装置にデータを送信可能に構成された受信アンテナと、受信アンテナに流れる電流を整流する整流回路と、整流回路の出力と接続され、整流電圧を発生させる平滑コンデンサと、受信アンテナから送信すべきデータを生成する制御回路であって、データは、ワイヤレス送電装置を制御するために使用される制御データと、ワイヤレス受電装置のユーザに固有の情報を示すパーソナルデータと、を含んでいる制御回路と、データに応じて、受信アンテナの電圧または電流を変調する変調器と、を備える。
【００１７】
この態様によると、通信プロトコルを拡張し、ワイヤレス受電装置からワイヤレス送電装置に対して、制御データに加えて、パーソナルデータを送信可能に構成することにより、送電装置において、パーソナルデータを利用したさまざまなサービスを、受電装置のユーザに提供することが可能となる。
【００１８】
ユーザに固有の情報は、ワイヤレス受電装置のユーザの性別、年齢、住所、国籍、使用言語、誕生日、趣味、関心事、職業、家族構成、ユーザが入力した任意のキーワードの少なくともひとつを含んでもよい。
【００１９】
パーソナルデータは、ワイヤレス受電装置のユーザにより予め入力されていてもよい。
【００２０】
ワイヤレス受電装置は、Ｑｉ規格に準拠してもよい。
【００２１】
本発明の別の態様は電子機器に関する。電子機器は、上述のいずれかのワイヤレス受電装置を備える。電子機器は、ユーザがパーソナルデータを入力するための入力装置をさらに備えてもよい。
【００２２】
本発明の別の態様は、ワイヤレス給電システムに関する。ワイヤレス給電システムは、上述のいずれかのワイヤレス送電装置と、ワイヤレス受電装置と、を備える。
【００２３】
なお、以上の構成要素の任意の組み合わせや、本発明の構成要素や表現を、方法、装置、システムなどの間で相互に置換したものもまた、本発明の態様として有効である。
【発明の効果】
【００２４】
本発明のある態様によれば、よりユーザに利便性を提供できる。
【図面の簡単な説明】
【００２５】
【図１】実施の形態に係るワイヤレス給電システムの構成を示す図である。
【図２】送電装置のブロック図である。
【図３】受電装置を備える電子機器のブロック図である。
【図４】実施の形態に係る受電装置を備える電子機器を示す図である。
【発明を実施するための形態】
【００２６】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００２７】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００２８】
図１は、実施の形態に係るワイヤレス給電システム１００の構成を示す図である。給電システム１００は、送電装置２００（ＴＸ、Power Transmitter）と受電装置３００（ＲＸ、Power Receiver）と、を備える。受電装置３００は、携帯電話端末、スマートホン、オーディオプレイヤ、ゲーム機器、タブレット端末などの電子機器５００に搭載される。給電システム１００は、基本的にＱｉ規格に準拠していてよく、それを拡張したものであってよい。送電装置２００は、空港やカフェ、レストラン、デパートやスーパーなどの商業施設をはじめとして、不特定多数のユーザが訪れる場所に設置することができる。
【００２９】
送電装置２００は、受電装置３００が載置される給電台２１０を備える。給電台２１０の内部には、送信アンテナ２０１や制御回路等が内蔵される。これらについては後述する。
【００３０】
送電装置２００は、給電台２１０に加えて、表示デバイス２２０を備える。表示デバイス２２０は、電子機器５００のユーザ２に対して文字情報、画像情報、音声情報等を提示する。
【００３１】
より具体的には、送電装置２００は、受電装置３００に対して電力信号Ｓ１を送信するとともに、受電装置３００からのデータＳ２を受信する。データＳ２は、送電装置２００を制御するために使用される制御データＳ２ａに加えて、受電装置３００のユーザ２に固有の情報を示すパーソナルデータＳ２ｂを含んでいる。
【００３２】
送電装置２００は、受信した制御データＳ２ａにもとづき、送信電力を制御する。また送電装置２００は、パーソナルデータＳ２ｂに応じた情報を、表示デバイス２２０に表示する。
【００３３】
受電装置３００は、電力信号Ｓ１を受信する。また、受電装置３００は、送電装置２００に対して送信すべきデータ、すなわち制御データＳ２ａとパーソナルデータＳ２ｂと、を生成する。そしてこれらのデータを送電装置２００に送信する。パーソナルデータＳ２ｂは、たとえば認証・設定フェーズにおいて、ＩＤ（Identification）データとともに送信されてもよいし、ネゴシエーションフェーズにおいて送信されてもよい。あるいは、パワートランスファフェーズにおいて送信されてもよい。
【００３４】
送電装置２００は、ネットワーク４００と接続される。表示デバイス２２０に表示すべき情報は、ネットワーク４００を経由して取得されてもよいし、送電装置２００に内蔵されるハードディスクやＳＳＤ（Solid State Drive）などの記憶装置に格納されてもよい。
【００３５】
また送電装置２００は、受電装置３００から受信したパーソナルデータＳ２ｂを、ネットワーク４００越しに接続されるサーバ４０２にアップロードしてもよい。
【００３６】
以上が給電システム１００の構成である。この給電システム１００は、現在のワイヤレス給電で定められている通信プロトコルを拡張し、受電装置３００から送電装置２００に対して、制御データＳ２ａに加えて、ユーザ２に関する情報を示すパーソナルデータＳ２ｂを送信可能に構成することとした。これにより送電装置２００は、パーソナルデータＳ２ｂを利用したさまざまなサービスを、ユーザ２に提供することが可能となる。
【００３７】
続いて、給電システム１００のより具体的な特徴について説明する。
パーソナルデータＳ２ｂは、受電装置３００のユーザ２に関する情報として、以下の少なくともひとつを含んでもよい。
（i）性別
（ii）年齢
（iii）住所
（iv）国籍
（v）使用言語
（vi）誕生日
（vii）趣味、関心事
（viii）職業、業種
（ix）家族構成
（x）ユーザが入力した任意のキーワード
【００３８】
たとえばパーソナルデータＳ２ｂが（i）性別や（ii）年齢を示すデータを含む場合、送電装置２００は、ユーザ２の性別や年齢に応じた情報を表示できる。たとえばパーソナルデータＳ２ｂが、ユーザ２が２０代男性であることを示す場合には、車の新製品に関する情報、具体的には関連記事、広告、カタログなどを表示してもよい。あるいは、パーソナルデータＳ２ｂがユーザ２が３０代女性であることを示す場合には、化粧品やファッションに関する情報を表示してもよい。
【００３９】
あるいは、パーソナルデータＳ２ｂが（iii）住所を含む場合、その住所までの距離や道順、途中の交通機関の運行状況などの情報を表示してもよい。
【００４０】
送電装置２００が、空港など、多国籍の人間が使用する施設に設置される場合には、（iv）国籍や（v）使用言語にもとづいて、表示デバイス２２０に表示すべき言語を切換えることができる。
【００４１】
パーソナルデータＳ２ｂが（vi）趣味、関心事を含む場合、ユーザ２が興味を持つカテゴリーに関連する情報を、表示デバイス２２０によりユーザ２に提示することができる。
【００４２】
またパーソナルデータＳ２ｂが（viii）職業、業種に関するデータを含む場合、職業、業種に応じたニュースを表示デバイス２２０によりユーザ２に提示してもよい。
【００４３】
送電装置２００は、パーソナルデータＳ２ｂに応じて、コンテンツの複数の候補を選択し、それらを表示デバイス２２０に候補のリストを表示し、ユーザ２に選択させてもよい。
【００４４】
なお、パーソナルデータＳ２ｂにいずれの情報を含めるべきかは、ユーザ２により選択可能とすることが好ましい。
【００４５】
このように、送電装置２００は、ユーザ固有の情報を取得することにより、ユーザ２に最適な情報を表示デバイス２２０に表示することができる。これは、ユーザ２に楽しさや有意義な情報を提供できるという利点に加えて、以下の利点も提供する。そもそも受電装置３００の給電中は、受電装置３００の電池残量が低下しており、したがって充電中に受電装置３００を使用することは、充電時間が長くなるため好ましくない。表示デバイス２２０にユーザ２が必要とする情報を表示することにより、ユーザ２の関心を引くことができるため、ユーザ２が受電装置３００を操作するのを抑制することができる。
【００４６】
送電装置２００が、受電装置３００から受信したパーソナルデータＳ２ｂを、ネットワーク４００越しに接続されるサーバ４０２にアップロードすることとした場合、送電装置２００の設置者は、不特定多数のユーザ２に関する情報を取得することができる。このような情報は、ビッグデータとも称され、商業的に有用であり価値があるものである。したがってサーバ４０２に蓄積されるデータの価値が、送電装置２００を設置するコストを上回れば、送電装置２００を普及させる大きなインセンティブとなりえる。
【００４７】
表示デバイス２２０に情報を表示することに代えて、あるいはそれに加えて、電子クーポンを発行してもよい。たとえば電子クーポンは、送電装置２００が設置される施設内の、あるいはその周辺のショップの割引券や広告であってもよい。この場合、送電装置２００の設置者は、ショップから電子クーポンや広告を配信することに対する対価を得ることも可能である。
【００４８】
続いて、送電装置２００の構成を説明する。
図２は、送電装置２００のブロック図である。送電装置２００は、送信アンテナ２０１、ドライバ２０４、コントローラ２０６、復調器２０８、表示デバイス２２０、マイコン２３０、ネットワークアダプタ２２４を備える。
送信アンテナ２０１は、電力信号Ｓ１を送信するとともに、ワイヤレス受電装置３００からのデータを受信可能に構成される。このデータＳ２は、制御データＳ２ａ、パーソナルデータＳ２ｂを含んでいる。たとえば送信アンテナ２０１は、直列に接続された送信コイル２０２および共振コンデンサ２０３を含む。
【００４９】
ドライバ２０４は、送信アンテナ２０１を駆動する。コントローラ２０６は、送信アンテナ２０１において受信した制御データＳ２ａにもとづきドライバ２０４を制御するとともに、パーソナルデータＳ２ｂを取得する。パーソナルデータＳ２ｂは、マイコン２３０に入力される。
【００５０】
マイコン２３０は、表示デバイス２２０を制御し、表示デバイス２２０にパーソナルデータＳ２ｂに応じた情報を表示させる表示制御部２２２を含む。
【００５１】
マイコン２３０には、ネットワークアダプタ２２４が接続される。ネットワークアダプタ２２４は、たとえばイーサネット（登録商標）アダプタや無線ＬＡＮアダプタであってもよい。
【００５２】
マイコン２３０は、ネットワークを介してパーソナルデータＳ２ｂに応じた情報を取得し、取得した情報を、表示デバイス２２０に表示させる。またマイコン２３０は、パーソナルデータＳ２ｂに含まれる情報を、ネットワーク越しに接続されるサーバーにアップロードする。
【００５３】
図３は、受電装置３００を備える電子機器５００のブロック図である。電子機器５００は、受電装置３００と、マイコン５０２、記憶装置５０４、入力装置５０６を備える。
【００５４】
受電装置３００は、受信コイル３０２を含む受信アンテナ３０１、整流回路３０４、平滑コンデンサ３０６、変調器３０８、制御回路３１０、充電回路３１４、二次電池３２０を備える。
【００５５】
受信コイル３０２は、送電装置２００からの電力信号Ｓ１を受信するとともに、ワイヤレス送電装置２００にデータＳ２を送信可能に構成される。
【００５６】
整流回路３０４は、受信コイル３０２に流れる電流を整流する。平滑コンデンサ３０６は整流回路３０４の出力と接続され、整流電圧Ｖｒｅｃｔを発生させる。充電回路３１４は、整流電圧Ｖｒｅｃｔを受け、二次電池３２０を充電する。二次電池３２０は電子機器５００の電源であり、マイコン５０２、記憶装置５０４、入力装置５０６等は、二次電池３２０が発生する電圧にもとづいて動作する。制御回路３１０は、受信アンテナ３０１から送信すべきデータＳ２を生成する。変調器３０８は、データＳ２に応じて、受信アンテナ３０１の電圧または電流を変調する。
【００５７】
マイコン５０２は、電子機器５００全体を制御するプロセッサである。記憶装置５０４は、ハードディスク装置やＳＳＤである。入力装置５０６は、ユーザインタフェースであり、たとえばハードウェアキーボードやタッチパネルにより実現されるソフトウェアキーボードであり、あるいは、音声入力（ボイスコントロール）であってもよい。ユーザ２は、入力装置５０６を用いて電子機器５００を操作する。その操作のひとつには、上述したパーソナルデータＳ２ｂの入力が含まれる。すなわちパーソナルデータＳ２ｂは、受電装置３００が給電台２１０に載置される前に、つまり給電に先立って、ユーザ２により、入力装置５０６を利用して予め入力されている。入力されたパーソナルデータＳ２ｂは、記憶装置５０４に格納される。
【００５８】
受電装置３００が給電台２１０に載置され、送電装置２００と受電装置３００が通信を開始し、リンクが確立すると、マイコン５０２は、記憶装置５０４からパーソナルデータＳ２ｂを読み出し、制御回路３１０へと出力する。これにより、ユーザ２がパーソナルデータＳ２ｂを意識することなく、受電装置３００にパーソナルデータＳ２ｂが送信され、ユーザ２に最適な情報が提供される。
【００５９】
以上、本発明について、実施の形態をもとに説明した。これらの実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【００６０】
実施の形態では、Ｑｉ規格に準拠するワイヤレス給電システムについて説明したが、本発明はそれに限定されず、Ｑｉ規格と類似するシステム、将来策定されるであろう規格に準拠するシステムにも適用しうる。
【００６１】
最後に、電子機器の具体例を説明する。図４は、実施の形態に係る受電装置３００を備える電子機器５００を示す図である。図４の電子機器５００は、スマートホン、タブレットＰＣや携帯型ゲーム機、携帯型オーディオプレイヤであり、筐体５０１の内部には、上述の受電装置３００に加えて、プロセッサ５０２、ディスプレイ装置５１０が内蔵される。プロセッサ５０２は、図３のマイコンに対応してもよく、無線（ＲＦ）部、ベースバンドプロセッサ、アプリケーションプロセッサ、オーディオプロセッサ等を含んでもよい。
【００６２】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００６３】
１００…給電システム、２００，ＴＸ…送電装置、２０１…送信アンテナ、２０２…送信コイル、２０３…共振コンデンサ、２０４…ドライバ、２０６…コントローラ、２０８…復調器、２１０…給電台、２２０…表示デバイス、２２２…表示制御部、２２４…ネットワークアダプタ、２３０…マイコン、４００…ネットワーク、４０２…サーバ、２…ユーザ、Ｓ１…電力信号、Ｓ２ａ…制御データ、Ｓ２ｂ…パーソナルデータ、３００，ＲＸ…受電装置、３０１…受信アンテナ、３０２…受信コイル、３０４…整流回路、３０６…平滑コンデンサ、３０８…変調器、３１０…制御回路、３１４…充電回路、３２０…二次電池、５００…電子機器、５０２…マイコン、５０４…記憶装置、５０６…入力装置。
【図１】
2015231252.tif 000003
【図２】
2015231252.tif 000004
【図３】
2015231252.tif 000005
【図４】
2015231252.tif 000006